(57)【要約】【課題】  水受け板上の水滴を確実に排水することにより、水滴の飛散を防止し清潔感のある手乾燥装置を得ることを可能とする。【解決手段】  手を挿入できる手挿入室と高圧気流発生装置と、手挿入室に挿入された手に対し高圧気流をノズルにより噴出し手を乾燥する手乾燥装置において、手から飛散した水滴を受ける水受け板を手挿入室の背面側近傍で折曲し急勾配を設けると共に本体箱体との隙間を設け、水受けトレイへと導水する為の樋を設ける。【選択図】  図２
2005185645.tif 000002
【特許請求の範囲】
【請求項１】
箱体の正面に開口した手を出し入れ可能な手挿入室と、前記手挿入室に挿入された手に対し高速気流を噴出する高速気流発生装置と、前記手挿入室の下方に配された前記高速気流により吹き飛ばされた手の水滴を受ける水受け板と、前記手挿入室の壁面及び前記水受け板上の水滴を貯水する水受けトレイとからなる手乾燥装置において、前記水受け板は前記手挿入室の前面側から背面側に向けて緩傾斜すると共に、背面側近傍で更に角度をつけて傾斜するように形成され、前記手挿入室の背面側の壁面との間に導水用の隙間を設けて配設されることを特徴とする手乾燥装置。
【請求項２】
前記水受け板は、背面側先端部を下方に折曲した折曲部を形成し、該折曲部にアールを施したことを特徴とする請求項１に記載の手乾燥装置。
【請求項３】
前記水受け板の下方の前記手挿入室の壁面に、前記手挿入室の壁面及び前記水受け板の水滴を前記水受けトレイへ導く導水部を形成したことを特徴とする請求項１または請求項２のいずれかに記載の手乾燥装置。
【発明の詳細な説明】
【技術分野】
【０００１】
本発明は、手洗い後の水滴を高速気流により吹き飛ばして乾燥させる手乾燥装置に係り、特に水受け板上の水滴を確実に水受けトレイ内に導水するとともに運転時の低騒音化に好適な水受け部の構造に関する発明である。
【背景技術】
【０００２】
従来の技術資料の図１の斜視図に全体を示すように、従来の手乾燥装置は、前面を開放した本体箱体１内の上部に高圧空気流発生部２が組込まれ、本体箱体１内の下部に高圧空気流発生部２との間に手を出し入れできる処理空間３を形成して水受け部が設けられ、水受け部の下部に水受け部からの水を受容するドレン容器４が本体箱体１の前面からの抜差しを可能に設けられている。
【０００３】
高圧空気流発生部２は、処理空間３の上部左右に開口した吸込口５から空気を吸込み、高圧空気を生成して処理空間３の前面の手挿入口近傍において水分を吹飛ばす手乾燥に関する作動気流としての高速の気流を下向きに形成するものである。
処理空間３の底部は、排水孔６を有する水受け部として構成されている。この水受け部は、水受け部の下に収められるドレン容器４の投影平面積の内側に本体箱体１から張出した左右と背面にわたる導水枠７と、この導水枠７に係脱可能に保持させた水受け板８とにより構成されている。
【０００４】
導水枠７は、従来の図３や図４に示すように断面コ状または単純なフランジ状に構成され、本体箱体１の内面に背後側へ下り勾配を持って固着又は一体に設けられている。
水受け板８は、背面側に排水孔６を設けた平板であり、本体箱体１の前面から導水枠７に棚状に抜差し可能に支持されている。
導水枠７と本体箱体１との入隅部分は、水受け板８を外した状態では広く開放されているため当該部の清掃は容易である。
【０００５】
このように構成された手乾燥装置では、高圧空気により手から吹き飛ばされた水滴は、手挿入部３の壁面及び水受け板８に付着する。傾斜した水受け板８上の水滴は高速気流により押し流されて背面側の排水孔６の方向へ移動するが、背面側近傍では壁面があるため、吹き出された高圧空気が壁面に反射して背面側近傍に気流が発生し、背面側近傍では高速気流による押し流し効果が小さくなる。
このため傾斜をかなり大きくとらないと、水受け板８の背面側近傍には水滴が残ることになり、水受け板８の清潔感を損なっていた。
また、水受け板に開口された穴を高速気体が通過する際に風切音を生じ運転音が大きくなるといった問題があった。
【特許文献１】特開２００３−１６４３９０号公報（第４頁、第１図〜第５図）
【発明の開示】
【発明が解決しようとする課題】
【０００６】
本発明は、上記問題を解決するためになされたもので、本発明の課題は、水受け板の水滴を確実に水受けトレイに導水でき、且つ、排水孔により発生する風切音を抑えた手乾燥装置を得ることである。
【課題を解決するための手段】
【０００７】
上記目的を達成するために請求項１記載の発明よれば、箱体の正面に開口した手を出し入れ可能な手挿入室と、前記手挿入室に挿入された手に対し高速気流を噴出する高速気流発生装置と、前記手挿入室の下方に配された前記高速気流により吹き飛ばされた手の水滴を受ける水受け板と、前記手挿入室の壁面及び前記水受け板上の水滴を貯水する水受けトレイとからなる手乾燥装置において、前記水受け板は前記手挿入室の前面側から背面側に向けて緩傾斜すると共に、背面側近傍で更に角度をつけて傾斜するように形成され、前記手挿入室の背面側の壁面との間に導水用の隙間を設けて配設した。
これにより、水滴の溜まりやすい背面側の水受け板の水滴を確実に水受けトレイに導水することができる。
また、風切音を低減するを可能とした。
【０００８】
また、請求項２記載の発明によれば、水受け板は、背面側先端部を下方に折曲した折曲部を形成し、該折曲部にアールを施した。
これにより、表面張力により水受け板端部に残る水の殆どを水受けトレイに確実に導水でき、目につき易い水受け板上の清潔性を高めることができると共に、下方に折曲した折曲部を備えたことで通気抵抗が大きくなり、風速を抑える効果があり風切音を低減することを可能とした。
【０００９】
また、請求項３記載の発明によれば、水受け板の下方の前記手挿入室の壁面に、前記手挿入室の壁面及び前記水受け板の水滴を前記水受けトレイへ導く導水部を形成した。
これにより、更に通気抵抗を大きくし、風切音を低減すると共に、壁面を伝わって流れる水を確実に水受けトレイに導水することを可能とした。
【発明の効果】
【００１０】
本発明によれば、高速気流により手から飛散した水受け板上の水滴は高速気流により水受け板上を押し流される。緩傾斜させた水受け板上を押し流された水滴は、背面側の壁面近傍では水受け板の傾斜が急になるため、高速気流が壁面に当たり減衰しても水滴は背面側の壁面との隙間へ流れ、確実に水受けトレイに導水されるため、残水が無く清潔感がある。  また、通気抵抗が大きくなる事により、隙間部で生じる風切音を低減することができ、静かな手乾燥装置を得るという効果がある。
【発明を実施するための最良の形態】
【００１１】
図１〜図３によって示す本発明の実施の形態は、正面部分を除く大半の部分が壁に埋設された壁埋込型の手乾燥装置に関するものである。
図１は本発明の手乾燥装置を示す外観図であり、図２は本発明の手乾燥装置の構造を示す断面図である。
また、図３は本発明の手乾燥装置の水受け部の構造を示す詳細図である。
図１および図２において、本願発明である手乾燥装置Ａは、前面を開放した本体箱体５１であり、前記前面開放部奥には開放部から手を挿入する手挿入室５２が形成されており
、手挿入室５２の正面開口以外の三面は本体箱体５１で構成された壁面５１ａである。
図２に示すように、手挿入室５２の上側には高速気流を噴出する機能部Ｂが組み込まれており、表面カバー５６が機能部Ｂを覆うように取り付けられている。
手挿入室５２の下方には水受け板５５と樋５８と水受けトレイ５４からなる水受け部Ｃが設けられている。
【００１２】
機能部Ｂは水密に製作されたヘアライン仕上げしたステンレス製の本体箱体５１に着脱可能なようにねじ固定されており、メンテナンス時には本体箱体から取り出すことができる。
機能部Ｂの下方には手挿入部２の上部奥側に開放された空気吸込口６１が開口されている。空気吸込口６１には壁面５１ａに飛散した水滴を吸込まないように水吸い込み防止板６１ａが壁面５１ａに対し略垂直に設けられており、水平方向から空気を吸込む。
吸込まれた空気は吸気路６５内に設けられたフィルター６２を通過し、ターボファン６６の吸い込み側へ導かれる。フィルター６２は手挿入室５２側に設けられたフィルター取っ手６２ａを引っ張ることで取り外すことが可能であり、フィルター６２の清掃が容易にできる。
ターボファン６６により加圧された高圧空気はターボファン６６と手に対して高圧空気を噴出するノズル５９に連通した排気路６８内に設けられたＰＴＣヒーター６９により加熱されて、ノズル５９から噴出される。
【００１３】
ノズル５９は手挿入室５２の上部前面に設けられ、高圧空気の噴出角度は垂直よりやや後傾している。これにより、使用者側への水滴の飛散を押える効果がある。
ノズル５９の奥側に手挿入室５２に挿入された手を検出するためのセンサー６０が設けられている。センサー６０の検知距離は手挿入室５２の開口高さの約半分に設定している。
センサー６０が手を検知するとモーター６７が回転し、モーター６７に接続されたターボファン６６により高圧空気が生成され、ノズル５９から６０〜１３０ｍ／秒の高速空気となって濡れた手に対して噴出される。手挿入室５２の下方に設けられた水受け部Ｃは水受け板５５が手挿入室５２の奥側に向かって後傾して設けられており、水受け板５５の両側面は下方に向けて折曲され、本体箱体５１の壁面５１ａにスポット溶接されている。手挿入室５２の奥側の壁面５１ａと水受け板５５には隙間６４が設けられている。
【００１４】
水受け板５５の下方に設けられた樋５８は、水受けトレイ５４の上部開口５４ａに臨むように断面略コの字状で端部を下方に折曲させ、端部の一方を壁面５１ａに水密に接着固定し、、端部の他方を水受けトレイ５４内に向くよう配設されている。
水受けトレイ５４の底部はストッパー７０に係止されており、取り外す場合は持ち上げて手前に引き抜き、水受けトレイ５４内の水を捨てることができる。また、半透明の樹脂により製作された水受けトレイ５４には本体箱体５１と同じヘアライン調の装飾を施した表面シート５４ｂが貼られている。表面シート５４ｂの一部に水位確認窓５３を設けており、水受けトレイ内の水量を確認できる。
【００１５】
本願発明の内容を図３で詳細に説明する。
手挿入室５２の奥行きは約１６０ｍｍであり、ステンレス製の水受け板５５は手挿入室５２の手前側から奥側に向かって３°の緩傾斜５５ａと、手挿入室５２の奥側壁面から４０ｍｍの位置で１０°の角度で折曲されたの急傾斜５５ｂを持っている。
水受け板５５と手挿入室５２の奥側の壁面５１ａとの隙間６４は１．５ｍｍである。隙間６４の間隔をとって水受け板５５は下方に折曲され、この折曲部には３ｍｍのアール５５ｃが施され、連続して８ｍｍの長さの垂れ下がり部５５ｄを設けている。
垂れ下がり部５５ｄの下方には樋５８が設けられている。
樋５８は一方の先端が水受けトレイ５４内に向くよう下方へ折曲され、折曲部には３ｍｍのアール５８ｂが施されており、折曲した先端部には下方へ６ｍｍの長さの屈折部５８ａが設けられている。また、樋５８の他端は壁面５１ａに水密的に固着して設けられている。
【００１６】
これらの構造の手乾燥装置において、ノズル５９から吹出された高速気流により手から飛散した水滴は、壁面５１ａ及び水受け板５５に付着する。
壁面５１ａに付着した水滴は自重により隙間６４から樋５８を経て水受けトレイ５４へと導水される。
水受け板５５に付着した水滴は、ノズル５９から吹出された高速気流により緩傾斜５５ａに沿って隙間６４の方へ押し流されていく。緩傾斜５５ａに沿って隙間６４の方へ押し流された水滴は、背面側壁面に近づいてくるとノズル５９から吹出された高速気流が壁面５１ａに当たってが乱気流を形成することより風速が弱まり、水受け板５５に付着した水滴を押し流し力も小さくなるが、水受け板５５の風速が弱まる位置に形成させた急傾斜５５ｂにより、滞留しようとする水滴を高速気流による押し流す力だけでなく傾斜により加速させることにより、水滴が隙間に確実に導水される。
水受け板５５は、押し流し力が弱くなるほど急傾斜になる方が効果的であるので、更に複数の傾斜を設けたり、手挿入室の手前側が高くなるような円弧で構成しても良いことはいうまでも無い。
【００１７】
また、水受け板５５にアール５５ｃが無い場合は、水滴が水受け板の端部で表面張力により水受け板５５上に留まろうとするため急傾斜５５ｂを大きくする必要があるが、アール５５ｃを設けることにより、１０°程度の傾斜でも隙間６４から下方へ確実に導水されることになる。
これにより、水受け板上に水滴が残留することがなく、水受け板上に残水にて形成される斑点模様などが残らず、外観を美しく保つことができると共に清掃性向上が図れる。
【００１８】
樋５８は壁面５１ａに水密的に接着固定されているので、壁面５１ａに沿って漏水することがない。また、水受け板から導水された水滴は樋５８上に導水され、この樋５８上の水滴は手挿入室５２の前面側の樋５８の折曲した先端部方向に導水され、確実に水受けトレイ５４へ導水されることになる。
これにより、本体箱体の底部に水滴の溜まるのを防止でき、本体箱体から外部への漏水を防止することができる。
【００１９】
更に、高速気流が隙間６４を通過する際に風切音が発生するが、隙間６４は壁面５１ａに当接されて設けられているため、高速気流が減衰すること及び垂れ下がり部５５ｄにより通気抵抗が大きくなり、更に風速が小さくなるため風切音が抑えられる。
また、垂れ下がり部５５ｄにより水受け板５５の剛性が向上するため、振動音の発生を抑えることもできる。
【図面の簡単な説明】
【００２０】
【図１】本発明の手乾燥装置を示す外観図である。
【図２】本発明の手乾燥装置の構造を示す縦断面図である。
【図３】本発明の手乾燥装置の水受け部の構造を示す詳細図である。
【符号の説明】
【００２１】
Ａ…手乾燥装置
Ｂ…機能部
Ｃ…水受け部
５１…本体箱体
５１ａ…壁面
５２…手挿入室
５３…水位確認窓
５４…水受けトレイ
５４ａ…上部開口
５４ｂ…表面シート
５５…水受け板
５５ａ…緩傾斜
５５ｂ…急傾斜
５５ｃ…アール
５５ｄ…垂れ下がり部
５６…表面カバー
５８…樋
５９…ノズル
６０…センサー
６１…空気吸込口
６１ａ…水吸い込み防止板
６２…フィルター
６２ａ…フィルター取っ手
６４…隙間
６５…吸気路
６６…ターボファン
６７…モーター
６８…排気路
６９…ＰＴＣヒーター
７０…ストッパー
【図１】
2005185645.tif 000003
【図２】
2005185645.tif 000004
【図３】
2005185645.tif 000005